(57)【特許請求の範囲】
【請求項１】
第１の光を発生させる第１の発光ダイオード回路、及び第２の光を発生させる第２の発光ダイオード回路を駆動するためのドライバであって、当該ドライバは、
‐前記第１の発光ダイオード回路及び前記第２の発光ダイオード回路に出力信号を供給するためのコンバータであって、前記出力信号はリップルを含み、前記リップルは当該リップルのパラメータを規定するリップル情報を含む、コンバータと、
‐前記リップル情報を読み出し、当該リップル情報に応じて、リップル周波数と等しい周波数及び可変の大きさを有し、リップルに対して第１の時間遅延を有する第１の周期的制御信号を発生させるための第１の発生器と、
‐前記第１の周期的制御信号に応じて前記第１の光の第１の強度を制御するための第１のコントローラと、
‐前記リップル情報を読み出し、当該リップル情報に応じて、リップル周波数と等しい周波数と可変の大きさとを有し、リップルに対して第２の時間遅延を有する第２の周期的制御信号を発生させるための第２の発生器と、
‐前記第２の周期的制御信号に応じて前記第２の光の第２の強度を制御するための第２のコントローラと、
を含み、前記第１の時間遅延及び前記第２の時間遅延は、前記第１の光及び前記第２の光に対する人間の知覚効率に基づき、かつ、前記第１の光の前記第１の強度と前記第２の光の第２の強度との和が前記第１の強度よりも変動が少ないように定められる、ドライバ。
【請求項２】
前記第１の強度の第１の最大値とリップルの最大値との間の第１の時間的距離はゼロではない、請求項１に記載のドライバ。
【請求項３】
前記リップルは交流信号の整流からもたらされ、前記リップルのパラメータは、前記リップルの振幅が、あるリップル値に達する時点を含むか、及び／又は、前記交流信号の振幅が、ある信号値に達する時点を含む、請求項１に記載のドライバ。
【請求項４】
前記第１のコントローラは、前記第１の周期的制御信号に応じて前記第１の強度の第１の振幅を制御するための第１のトランジスタ回路を含む、請求項１に記載のドライバ。
【請求項５】
前記第１のコントローラは、前記第１の発光ダイオード回路を通って流れる第１の電流を、前記第１の周期的制御信号によって規定される第１のデューティサイクルでオン及びオフにスイッチングする、請求項４に記載のドライバ。
【請求項６】
前記第１の強度と前記第２の強度との和は、前記第２の強度よりも変動が少ない、請求項１に記載のドライバ。
【請求項７】
前記第１の発光ダイオード回路は前記第２の発光ダイオード回路よりも高い人間の知覚効率を有し、前記第１の強度の第１の最大値と前記リップルの最大値との間の第１の時間的距離は、前記第２の強度の第２の最大値とリップルの最大値との間の第２の時間的距離よりも大きい、請求項１に記載のドライバ。
【請求項８】
前記第１の時間的距離は前記リップルの周期の半分に略等しく、前記第２の時間的距離はゼロに略等しい、請求項７に記載のドライバ。
【請求項９】
前記第１のコントローラは、前記第１の周期的制御信号に応じて前記第１の強度の第１の振幅を制御するための第１のトランジスタ回路を含み、前記第２のコントローラは、前記第２の制御信号に応じて前記第２の強度の第２の振幅を制御するための第２のトランジスタ回路を含む、請求項１に記載のドライバ。
【請求項１０】
前記第１のコントローラは、前記第１の発光ダイオード回路を通って流れる第１の電流を、前記第１の周期的制御信号によって規定される第１のデューティサイクルでオン及びオフにスイッチングすることによって前記第１の強度の前記第１の振幅を制御し、前記第２のコントローラは、前記第２の発光ダイオード回路を通って流れる第２の電流を、前記第２の制御信号によって規定される第２のデューティサイクルでオン及びオフにスイッチングすることによって前記第２の強度の前記第２の振幅を制御する、請求項９に記載のドライバ。
【請求項１１】
前記第１の光と前記第２の光とは別々の色を有し、前記ドライバは、
‐交流信号の周波数よりも高い周波数を有する第３の制御信号を発生させるための第３の発生器と、
‐前記第１の周期的制御信号に前記第３の制御信号を加算するための第１の加算器と、前記第２の制御信号に前記第３の制御信号を加算するための第２の加算器と、
を更に含み、前記第３の制御信号は、前記第１の光と前記第２の光との和における色ずれを低減させるために、前記第１の周期的制御信号及び前記第２の制御信号の各々とは位相が異なる、請求項１に記載のドライバ。
【請求項１２】
請求項１に記載のドライバを含み、前記第１の発光ダイオード回路及び前記第２の発光ダイオード回路を更に含む、器具。
【発明の詳細な説明】
【技術分野】
【０００１】
本発明は、第１の発光ダイオード回路及び第２の発光ダイオード回路を駆動するためのドライバに関し、また、当該ドライバを含み、第１の発光ダイオード回路及び第２の発光ダイオード回路を更に含む器具に関し、また、当該ドライバを含み、第１の発光ダイオード回路及び第２の発光ダイオード回路に給電するためのコンバータを更に含む装置に関する。斯様な器具の例はランプや光モジュールである。斯様な装置の例はコンバータや電源供給器である。
【背景技術】
【０００２】
米国特許出願公開第２０１０／０１４１１７４Ａ１号は、発光ダイオード回路のための電流リップル低減回路を開示する。このために、電流リップルを低減させるための電流レギュレータが、発光ダイオード回路に直列に接続される。
【発明の概要】
【発明が解決しようとする課題】
【０００３】
本発明の目的は、改善されたドライバを提供することである。本発明の更なる目的は、器具及び装置を提供することである。
【課題を解決するための手段】
【０００４】
第１の態様によると、第１の光を発生させる第１の発光ダイオード回路、及び第２の光を発生させる第２の発光ダイオード回路を駆動するためのドライバであって、
‐リップル情報を読み出し、当該リップル情報に応じて、リップル周波数と等しい周波数及び可変の大きさを有し、リップルに対して第１の時間遅延を有する第１の周期的制御信号を発生させるための第１の発生器と、
‐第１の制御信号に応じて第１の光の第１の強度を制御するための第１のコントローラと、
を含み、第１の光の第１の強度と第２の光の第２の強度との和は、第１の強度よりも変動が少ないドライバが提供される。
【０００５】
第１の制御信号の特性は、リップル情報、発光ダイオード回路の動作特性、第２の光の第２の強度に著しく依存する。
【０００６】
第１の発光ダイオード回路及び第２の発光ダイオード回路を駆動するためのドライバは、リップル情報に応じて第１の制御信号を発生させるための第１の発生器を含む。通常、ドライバによって駆動されている間に第１の発光ダイオード回路及び第２の発光ダイオード回路に給電するためのコンバータに、交流信号又は交流信号の整流されたバージョンが提供される。斯様な交流信号は、コンバータの出力信号内／上のリップルの原因となる。このリップルは、第１の発光ダイオード回路によって発生される第１の光の第１の強度、及び第２の発光ダイオード回路によって発生される第２の光の第２の強度における変動の原因となる。これらの変動はフリッカとして知られている。このフリッカは不快である。
【０００７】
第１の光の第１の強度と第２の光の第２の強度との和が、第１の強度よりも小さい変動を含むか、又は全く変動を含まないように、第１の制御信号に応じて第１の光の第１の強度を制御するための第１のコントローラをドライバに加えることによって、フリッカは低減される。これは大きな利点である。斯様な実施形態では、第２の発光ダイオード回路の動作性能が分かっている場合、第２の光の第２の強度は事前に分かる。他の実施形態では、第２の強度は、動作電流若しくは動作電圧等の電気信号パラメータの測定に基づいて決定されるか、又は実際に認識する光出力強度に対する光学的測定に基づいて決定されてもよい。
【０００８】
したがって、改善されたドライバは、第１の光の第１の強度と第２の光の第２の強度との和における変動を低減させる。好ましくは、変動は完全に除去される。改善されたドライバは、両方の発光ダイオード回路が同一のランプ又は同一の光モジュールの一部を形成するとき、人間の目は、第１の発光ダイオード回路からの第１の光と、第２の発光ダイオード回路からの第２の光との間の区別ができにくいという事実を利用する。第１の強度及び第２の強度、並びにこれらの和は、人間によって知覚されるときの強度であるという事実に鑑み、「第１の光の第１の強度と第２の光の第２の強度との和は、第１の強度よりも変動が少ない」との表現は、「第１の光の第１の強度と第２の光の第２の強度との和は、第１の強度よりも変動が少なく見える」に対応する。
【０００９】
上述の米国特許出願公開第２０１０／０１４１１７４Ａ１号と比較すると、改善されたドライバは、発光ダイオード回路との直列の組合せでの、電力を消散する追加のレギュレータを必要とせず、これは別の大きな利点である。
【００１０】
電流フィードバック及び／又は光学的フィードバックに基づくリップル補償を開示する米国特許出願公開第２００８／００４２５９９Ａ１号と比較すると、改善されたドライバは、リップル低減のための電流フィードバック及び／又は光学的フィードバックを必要とせず、これは大きな利点である。
【００１１】
光学的フィードバックに基づくリップル補償を開示する独国特許出願公開第１０２  ４５  ６２６Ａ１号と比較すると、改善されたドライバは、リップル低減のための光学的フィードバックを必要とせず、これは大きな利点である。
【００１２】
電力を消散する逆位相リップル電流発生回路と、コンバータの出力において元電流と逆位相リップル電流とを合成するための、電力を消散する合成器とを開示する国際特許出願公開第２０１３／１２０７６８Ａ１号と比較すると、改善されたドライバは、斯様な電力を消散する追加の構成要素を必要とせず、これは大きな利点である。
【００１３】
発光ダイオード回路は、任意の種類の及び任意の組合せでの１以上の発光ダイオードを含む。第３（第４等）の光を発生させるための第３（第４等）の発光ダイオード回路も除外されるものではない。
【００１４】
ドライバの実施形態は、コンバータによって提供される出力信号を介して給電される第１の発光ダイオード回路及び前記第２の発光ダイオード回路によって規定され、出力信号はリップルを含み、リップル情報はリップルのパラメータを規定する。通常リップルは、コンバータより前又はコンバータの内部での交流信号の整流からもたらされる。このときコンバータの出力信号は、このリップルを含む。この出力信号が、第１の発光ダイオード回路及び第２の発光ダイオード回路に給電するために用いられる。結果として、第１の光の第１の強度及び第２の光の第２の強度は、第１のリップル及び第２のリップルを含む。第１の強度と第２の強度との和が、これら強度の各々よりも小さい変動を含むか、又は全く変動を含まないように、第１の強度及び第２の強度のうちの少なくとも一方を制御することによって、フリッカは低減される。
【００１５】
ドライバの実施形態は、ゼロではない第１の強度の第１の最大値とリップルの最大値との間の第１の時間的距離によって規定される。好ましくは、第１の強度（内／上の第１のリップル）と第２の強度（内／上の第２のリップル）とに関し、ある程度の逆位相状態を作り出すように、第１の強度の第１の最大値とコンバータの出力信号内／上のリップルの最大値との間の第１の時間的距離は、リップルの周期の半分に略等しい。第１の強度の第１の最大値とリップルの最大値とは、時間的に互いに最も近い２つの最大値である。
【００１６】
ドライバの実施形態は、交流信号の整流からもたらされるリップルによって規定され、リップルのパラメータは、リップルの振幅が、あるリップル値に達する時点を含むか、及び／又は、交流信号の振幅が、ある信号値に達する時点を含む。あるリップル値は、リップルの最大値若しくはリップルの最小値、又はリップルの平均値等である。ある信号値は、交流信号の最大値若しくは交流信号の最小値、又は交流信号のゼロクロス等である。通常、交流信号のゼロクロスにおいてリップルの振幅が最小値を示し、交流信号の２つのゼロクロスの中間においてリップルの振幅が最大値を示す等である。
【００１７】
ドライバの実施形態は、第１の制御信号に応じて第１の強度の第１の振幅を制御するための第１のトランジスタ回路を含む第１のコントローラによって規定される。これは低コスト、単純、且つロバストな実施形態である。第１のトランジスタ回路は、任意の種類の及び任意の組合せでの１以上のトランジスタを含む。
【００１８】
ドライバの実施形態は、第１の発光ダイオード回路を通って流れる第１の電流を、第１の制御信号によって規定される第１のデューティサイクルでオン及びオフにスイッチングすることを含む、第１の強度の第１の振幅の制御によって規定される。これは比較的デジタルな実施形態である。代替的に、比較的アナログな実施形態によると、第１の発光ダイオード回路を通って流れる第１の電流の振幅の大きさが制御される。
【００１９】
ドライバの実施形態は、
‐リップル情報に応じて第２の制御信号を発生させるための第２の発生器と、
‐第２の制御信号に応じて第２の強度を制御するための第２のコントローラと、
を更に含むドライバによって規定される。
【００２０】
この実施形態によると、第１の強度及び第２の強度の両方が個々に制御される。この実施形態は、より多くの制御オプションを提供する。
【００２１】
ドライバの実施形態は、第２の強度よりも変動が少ない第１の強度と第２の強度との和によって規定される。やはり、第１の強度及び第２の強度、並びにこれらの和は、人間によって知覚されるときの強度であるという事実に鑑み、「第２の強度よりも変動が少ない第１の強度と第２の強度との和」との表現は、「第２の強度よりも変動が少なく見える第１の強度と第２の強度との和」に対応する。
【００２２】
ドライバの実施形態は、コンバータによって提供される出力信号を介して給電される第１の発光ダイオード回路及び第２の発光ダイオード回路によって規定され、出力信号はリップルを含み、リップル情報はリップルのパラメータを規定し、第１の発光ダイオード回路は第２の発光ダイオード回路よりも高い人間の知覚効率を有し、第１の強度の第１の最大値とリップルの最大値との間の第１の時間的距離は、第２の強度の第２の最大値とリップルの最大値との間の第２の時間的距離よりも大きい。好ましくは、他方の発光ダイオード回路よりも高い人間の知覚効率を有する発光ダイオード回路は、コンバータの出力信号内／上のリップルに対して、他方の発光ダイオード回路よりも大きな程度の逆位相状態によって駆動されるべきである。第１の強度の第１の最大値とリップルの最大値とは、時間において互いに最も近い２つの最大値である。同様に、第２の強度の第２の最大値とリップルの最大値とは、時間的に互いに最も近い２つの最大値である。
【００２３】
ドライバの実施形態は、リップルの周期の半分に略等しい、第１の時間的距離と、ゼロに略等しい、第２の時間的距離とによって規定される。この実施形態は比較的最適に実行される。より高い人間の知覚効率を有する発光ダイオード回路は、コンバータの出力信号内／上のリップルに対して逆位相状態によって駆動され、より低い人間の知覚効率を有する発光ダイオード回路は、コンバータの出力信号内／上のリップルに対して同相状態によって駆動される。
【００２４】
ドライバの実施形態は、第１の制御信号に応じて第１の強度の第１の振幅を制御するための第１のトランジスタ回路を含む第１のコントローラと、第２の制御信号に応じて第２の強度の第２の振幅を制御するための第２のトランジスタ回路を含む第２のコントローラとによって規定される。これは低コスト、単純、且つロバストな実施形態である。第１のトランジスタ回路及び第２のトランジスタ回路の各々は、任意の種類の及び任意の組合せでの１以上のトランジスタを含む。
【００２５】
ドライバの実施形態は、第１の発光ダイオード回路を通って流れる第１の電流を、第１の制御信号によって規定される第１のデューティサイクルでオン及びオフにスイッチングすることを含む、第１の強度の第１の振幅の制御と、第２の発光ダイオード回路を通って流れる第２の電流を、第２の制御信号によって規定される第２のデューティサイクルでオン及びオフにスイッチングすることを含む、第２の強度の第２の振幅の制御とによって規定される。これは比較的デジタルな実施形態である。代替的に、比較的アナログな実施形態によると、第１の発光ダイオード回路を通って流れる第１の電流の振幅の大きさ、及び第２の発光ダイオード回路を通って流れる第２の電流の振幅の大きさが制御される。
【００２６】
ドライバの実施形態は、別々の色を有する第１の光と第２の光とによって規定され、ドライバは、
‐交流信号の周波数よりも高い周波数を有する第３の制御信号を発生させるための第３の発生器と、
‐第１の制御信号に第３の制御信号を加算するための第１の加算器と、第２の制御信号に第３の制御信号を加算するための第２の加算器と、
を更に含み、第３の制御信号は、第１の光と第２の光との和における色ずれを低減させるために、第１の制御信号及び第２の制御信号の各々とは位相が異なる。
【００２７】
通常、第１の発光ダイオード回路の第１の強度（内／上の第１のリップル）と第２の発光ダイオード回路の第２の強度（内／上の第２のリップル）との間に、ある程度の位相シフト状態を導入するとき、第１の光と第２の光との和における色ずれが増大する。しかしながら斯様な色ずれは、フリッカよりは不快でない。この色ずれを低減させるために、交流信号の周波数よりも高い周波数を有する第３の制御信号を発生させるための第３の発生器と、第１の制御信号に第３の制御信号を加算するための第１の加算器と、第２の制御信号に第３の制御信号を加算するための第２の加算器とが導入される。第３の制御信号は、第１の光と第２の光との和における色ずれを低減させるために、第１の制御信号及び第２の制御信号の各々とは位相が異なっているべきである。
【００２８】
第２の態様によると、上述のドライバを含み、第１の発光ダイオード回路及び第２の発光ダイオード回路を更に含む、器具が提供される。
【００２９】
第３の態様によると、上述のドライバを含み、第１の発光ダイオード回路及び第２の発光ダイオード回路に給電するためのコンバータを更に含む、装置が提供される。コンバータは、リニアレギュレータ等を含む任意の種類のコンバータであってよい。
【００３０】
基本的な着想は、２以上の発光ダイオード回路のうち、これらの１つが、これらの強度上のリップルを補償するために、他の１以上から比較的独立して制御され得ることである。
【００３１】
改善されたドライバを提供するという課題が解決された。更なる利点は、改善されたドライバが用いられる場合にリップルを低減させるためのキャパシタの値が、改善されたドライバが用いられない場合にリップルを低減させるためのキャパシタの値よりも、少なくとも１０倍小さくなり得ることである。
【００３２】
本発明のこれらの態様及び他の態様は、以下に説明される実施形態から明らかとなり、これらの実施形態を参照して解明されるであろう。
【図面の簡単な説明】
【００３３】
【図１】ドライバの第１の実施形態を示す。
【図２】ドライバの第２の実施形態を示す。
【図３】平均制御信号及び全体の強度を示す。
【図４】平均電流波形を示す。
【図５】概略を示す。
【発明を実施するための形態】
【００３４】
図１では、ドライバ１０の第１の実施形態が示される。第１のチャンネルを駆動するために、２チャンネルドライバ１０は、リップル情報に応じて第１の制御信号を発生させるための第１の発生器１１と、第１の制御信号に応じて第１の発光ダイオード回路１からの第１の光の第１の強度を制御するための第１のコントローラ１２とを含む。このために、第１のコントローラ１２の第１のメイン電極は、第１の発光ダイオード回路１のカソードに結合され、第１の発光ダイオード回路１のアノードは、コンバータ３の第１の出力端子に結合される。第１のコントローラ１２の第２のメイン電極は、コンバータ３の第２の出力端子に結合される。第１のコントローラ１２の制御電極は、第１の発生器１１の出力に結合される。第１の発生器１１の入力は例えば、コンバータ３の第１の出力端子に結合される。
【００３５】
第２のチャンネルを駆動するために、２チャンネルドライバ１０は、リップル情報に応じて第２の制御信号を発生させるための第２の発生器２１と、第２の制御信号に応じて第２の発光ダイオード回路２からの第２の光の第２の強度を制御するための第２のコントローラ２２とを含む。このために、第２のコントローラ２２の第１のメイン電極は、第２の発光ダイオード回路２のカソードに結合され、第２の発光ダイオード回路２のアノードは、コンバータ３の第１の出力端子に結合される。第２のコントローラ２２の第２のメイン電極は、コンバータ３の第２の出力端子に結合される。第２のコントローラ２２の制御電極は、第２の発生器２１の出力に結合される。第２の発生器２１の入力は例えば、コンバータ３の第１の出力端子に結合される。
【００３６】
２チャンネルのドライバ１０が、第１の発光ダイオード回路１及び第２の発光ダイオード回路２を駆動する。しかしながら、２以上の発光ダイオード回路のうちの１つだけを駆動するための１チャンネルのドライバ、及び３以上の発光ダイオード回路を駆動するための３以上のチャンネルのドライバも除外されるものではない。
【００３７】
コンバータ３の入力端子は交流信号源に結合され、この場合、コンバータ３の内部で整流が実行される。代替的に、コンバータ３の入力端子は、例えば４つのダイオードの整流ブリッジ等の整流回路を介して交流信号源に結合され、この場合、コンバータ３より前に整流が実行される。
【００３８】
整流は通常、コンバータ３の出力信号内／上に存在するリップル（欧州では１００Ｈｚのリップル、米国では１２０Ｈｚのリップル）をもたらす。予防措置が取られていないとき、リップルは、第１の発光ダイオード回路１及び第２の発光ダイオード回路２によって発生される光において目に見える。この目に見えるリップルは、フリッカとして知られている。このフリッカは不快である。目に見えるリップルを低減させるために、リップルの振幅を低減させるための大きなキャパシタンスが導入され得る。斯様な大きなキャパシタンスは不利である。
【００３９】
改善されたドライバ１０は、リップル情報に応じて第１の発生器１１に第１の制御信号を発生させ、第１の光の第１の強度と第２の光の第２の強度との和が、第１の強度及び第２の強度の各々よりも変動が少ないように、第１の制御信号に応じて第１のコントローラ１２に第１の発光ダイオード回路１からの第１の光の第１の強度を制御させることによって、フリッカを低減させる。また好ましくは、リップル情報に応じて第２の発生器２１に第２の制御信号を発生させ、第１の強度と第２の強度との和が、第１の強度及び第２の強度の各々よりも変動が少ないように、第２の制御信号に応じて第２のコントローラ２２に第２の強度を制御させることによって、フリッカを低減させる。これは図３を通して更に説明される。
【００４０】
図１に示される例示的な実施形態によると、第１の発生器１１及び第２の発生器２１はリップル情報を、コンバータ３の、１以上の出力端子から読み出すが、代替的に、第１の発生器１１及び第２の発生器２１はリップル情報を、コンバータ３の内部のどこかから、若しくはコンバータ３の、１以上の入力端子から、又は示されていないがコンバータ３の入力端子に結合される整流回路から読み出してもよい。このリップル情報は例えば、交流信号の整流からもたらされるリップルのパラメータを規定する。このリップルのパラメータは例えば、リップルの電流の大きさ若しくは電圧の大きさ、リップルのピークツーピーク電流振幅若しくはピークツーピーク電圧振幅、リップルの振幅が（正又は負の最大値、平均値等の）リップル値に達する時点を含むか、及び／又は、交流信号の振幅が（正又は負の最大値、ゼロクロス等の）信号値に達する時点を含む。これも図３を通して更に説明される。
【００４１】
好ましくは、第１のコントローラ１２は、第１の制御信号に応じて第１の強度の第１の振幅を制御するための第１のトランジスタ回路１３を含む。また、第２のコントローラ２２は、第２の制御信号に応じて第２の強度の第２の振幅を制御するための第２のトランジスタ回路２３を含む。トランジスタ回路は１以上のトランジスタを含んでよい。比較的デジタルの解決策によると、第１の強度の第１の振幅の制御は、第１の発光ダイオード回路１を通って流れる第１の電流を、第１の制御信号によって規定される第１のデューティサイクルでオン及びオフにスイッチングすることを含む。また、第２の強度の第２の振幅の制御は、第２の発光ダイオード回路２を通って流れる第２の電流を、第２の制御信号によって規定される第２のデューティサイクルでオン及びオフにスイッチングすることを含む。この態様で、コントローラ１２、コントローラ２２を通って流れる電流の振幅の平均の大きさが制御される。しかしながら、コントローラ１２、コントローラ２２を通って流れる電流の振幅の瞬時の大きさが制御される比較的アナログな解決策も除外されるものではない。
【００４２】
図２では、ドライバ１０の第２の実施形態が示される。この第２の実施形態は、別々の色を有する第１の光及び第２の光のために、ドライバ１０が、交流信号の周波数よりも高い周波数を有する第３の制御信号を発生させるための第３の発生器３０と、第１の制御信号に第３の制御信号を加算するための第１の加算器３１と、第２の制御信号に第３の制御信号を加算するための第２の加算器３２とを備えている点で、図１に示される第１の実施形態と異なる。第３の制御信号は、第１の光と第２の光との和における色ずれを低減させるために、第１の制御信号及び第２の制御信号の各々とは位相が異なっているべきである。
【００４３】
図１に示されるドライバ１０の第１の実施形態はフリッカを低減させるが、同時に第１の光と第２の光との和における色ずれを増大させる。斯様な色ずれは、フリッカよりは不快でない。この色ずれを低減させるために、第３の発生器３０並びに第１の加算器３１及び第２の加算器３２が導入されている。
【００４４】
図３では、平均制御信号及び全体の強度が示される（横軸：時間、縦軸：振幅）。第１の平均制御信号Ａ１は、１以上の白色ＬＥＤを含む第１の発光ダイオード回路１からの第１の光の第１の強度を制御するのに用いられる。第１の強度は、第１の平均制御信号Ａ１の形状と同様の形状を有するであろう。第２の平均制御信号Ｂ１は、１以上の赤色ＬＥＤを含む第２の発光ダイオード回路２からの第２の光の第２の強度を制御するのに用いられる。第２の強度は、第２の平均制御信号Ｂ１の形状と同様の形状を有するであろう。第１の平均制御信号Ａ１は、一定の第１の振幅を含み、当該一定の第１の振幅に可変の第１の振幅が加算され、リップルの周波数と等しい周波数を有する。第１の平均制御信号Ａ１は、リップルに対して第１の時間遅延を有する。例えば第１の時間遅延は、ゼロの位相角度に相当する。第２の平均制御信号Ｂ１は、一定の第２の振幅を含み、当該一定の第２の振幅に可変の第２の振幅が加算され、リップルの周波数と等しい周波数を有する。第２の平均制御信号Ｂ１は、リップルに対して第２の時間遅延を有する。例えば第２の時間遅延は、９０°の位相角度に相当する。第１の発光ダイオード回路１が白色ＬＥＤを含むという事実のために、第１の発光ダイオード回路１は、赤色ＬＥＤを含む第２の発光ダイオード回路２よりも高い人間の知覚効率を有する。これは、第１の平均制御信号Ａ１の一定の第１の振幅が、第２の平均制御信号Ｂ１の一定の第２の振幅よりもわずかに小さいように選択されていることの理由である。可変の第１の振幅及び可変の第２の振幅の大きさは通常、略同一である。
【００４５】
第２の平均制御信号Ｂ１は例えば、コンバータ３の出力信号上／内に存在するリップルと位相が一致し、第１の平均制御信号Ａ１は例えば、このリップルと位相が異なる。結果として、全体の強度Ｃ１は、もはやいかなるリップルも示さない。この全体の強度Ｃ１は、第１の光の第１の強度と第２の光の第２の強度との和である。理想的な状況では、全体の強度Ｃ１はいかなるリップルも示さない。理想的ではないが依然として改善された状況では、全体の強度Ｃ１は、第１の強度及び第２の強度の各々よりも変動が少ない。
【００４６】
第１の平均制御信号Ａ１及び第２の平均制御信号Ｂ１は、平均制御信号である。よりアナログな実現形態によると、平均制御信号は実際の制御信号と同一である。例えばデューティサイクル制御を通じた、よりデジタルな実現形態によると、実際の制御信号は平均制御信号と異なる。
【００４７】
第１の平均制御信号Ａ１は、１以上の白色ＬＥＤを含む第１の発光ダイオード回路１が第１の強度で第１の光を発生させることをもたらす。この場合、フリッカを低減させるために、第１の強度の第１の最大値とリップルの最大値との間の第１の時間的距離は、ゼロ以外とすべきである。
【００４８】
加えて、第２の平均制御信号Ｂ１は、１以上の赤色ＬＥＤを含む第２の発光ダイオード回路２が第２の強度で第２の光を発生させることをもたらす。この場合、フリッカを低減させるために、第１の強度の第１の最大値とリップルの最大値との間の第１の時間的距離が、第２の強度の第２の最大値とリップルの最大値との間の第２の時間的距離よりも大きくなるようにすべきである。好ましくは、第１の時間的距離は、リップルの周期の半分に略等しく（逆位相状態）、第２の時間的距離は、ゼロに略等しい（同相状態）。
【００４９】
図４では、平均電流波形が示される（横軸：時間、縦軸：振幅）。第１の平均電流波形Ａ２は、第１のコントローラ１２及び第１の発光ダイオード回路１を通って流れる第１の平均電流に等しい。第２の平均電流波形Ｂ２は、第２のコントローラ２２及び第２の発光ダイオード回路２を通って流れる第２の平均電流に等しい。全体の平均電流波形Ｃ２は、第１の平均電流波形Ａ２と第２の平均電流波形Ｂ２との和に等しい。明らかに、全体の平均電流波形Ｃ２は、第１の平均電流波形Ａ２及び第２の平均電流波形Ｂ２の各々よりも小さい変動を示す。
【００５０】
単に例示として、第１の発光ダイオード回路１及び第１のコントローラ１２を通って流れる第１の電流は、Ｉ１＝ｐ＋ｑ・ｓｉｎ（２πｆｔ）であり、第２の発光ダイオード回路２及び第２のコントローラ２２を通って流れる第２の電流は、Ｉ２＝ｘ＋ｙ・ｓｉｎ（２πｆｔ）であり、ここでｐ＝Ｉｄｃ／（１＋γ）、ｑ＝Ｉｒ／（１−（ε１／ε２））、ｘ＝Ｉｄｃ／（１＋（１／γ））、ｙ＝Ｉｒ／（１−ε２／ε１））であり、ここでγは第１のチャンネルと第２のチャンネルとの間のＤＣ比であり、ε１は人間によって知覚されるときの第１のチャンネルの効率であり、ε２は人間によって知覚されるときの第２のチャンネルの効率であり、Ｉｒはリップル電流の振幅であり、Ｉｄｃは入力電流の平均振幅である。分数のデューティサイクルとしての第１のチャンネルへの第１の命令は、Ｉ１／Ｉｄｃに等しく、分数のデューティサイクルとしての第２のチャンネルへの第２の命令は、Ｉ２／Ｉｄｃに等しく、全ては他の式／方程式を除外していない。
【００５１】
図５に概略が示される。図１に示される第１の実施形態と比較すると、この概要は加えて、キャパシタ４と抵抗器５とを示し、各々がコンバータ３の出力端子に結合されている。図１に示されるドライバ１０を導入したことによって、キャパシタ４の値は、ドライバ１０が用いられていない場合にリップルを低減させるためのキャパシタの値よりも少なくとも１０倍小さくなり得る。
【００５２】
第１の要素及び第２の要素は、第３の要素を介して間接的に結合されてもよく、また、間に第３の要素を有さずに直接結合されてもよい。３以上のチャンネル及び３以上の発光ダイオード回路も除外されるものではない。第１の発生器及び第２の発生器は、２つの出力を有する１つの発生器に一体とされてもよい。第１の発生器及び第２の発生器並びに第３の発生器は、３つの出力を有する１つの発生器に一体とされてもよい。第３の制御信号は、交流信号の周波数（５０Ｈｚ又は６０Ｈｚ）よりも高い、好ましくはリップルの周波数（１００Ｈｚ又は１２０Ｈｚ）よりも高い、例えば４００Ｈｚ等といった周波数を有するべきである。第３の制御信号は、他の周期的な形状を除外することなく、正弦波形状を有する。同様に、可変の第１の振幅及び可変の第２の振幅は、他の周期的な形状を除外することなく正弦波形状を有し、第１の平均制御信号及び第２の平均制御信号が正弦波形状を有することをもたらす。第１のコントローラ１２及び第２のコントローラ２２は、より大きなコントローラの一部を形成してもよい。これらのコントローラの各々は、例えば温度情報等といった更なる情報に応じて、発光ダイオード回路１、２の温度補償等の別の特性を調節するための更なる入力を有してもよい。１つのコントローラが２以上の発光ダイオード回路等（からの光）を制御してもよい。１つの発生器が２以上の制御信号を発生させ、また、２以上のコントローラ等を宛先とする１つの制御信号を発生させる等でもよい。
【００５３】
要約すると、第１の光を発生させる第１の発光ダイオード回路１、及び第２の光を発生させる第２の発光ダイオード回路２を駆動するためのドライバ１０は、リップル情報に応じて第１の制御信号を発生させるための第１の発生器１１と、第１の光の第１の強度と第２の光の第２の強度との和が、これら強度の各々よりも変動が少ないように、第１の制御信号に応じて第１の光の第１の強度を制御するための第１のコントローラ１２とを含む。リップル情報は、交流信号の整流からもたらされるリップルのパラメータを規定する。ドライバ１０は、リップル情報に応じて第２の制御信号を発生させるための第２の発生器と、第２の制御信号に応じて第２の強度を制御するための第２のコントローラ２２とを更に含む。リップルに基づくフリッカは低減され、より小さなキャパシタが用いられ得る。
【００５４】
本発明は、図面及び前述の説明において詳細に例示され説明されたが、斯様な例示及び説明は、例示的又は典型的であると考えられるべきであり、限定と考えられるべきではなく、本発明は、開示された実施形態に限定されない。当業者によって、特許請求された発明を実施するにあたり、図面、明細書、及び添付の請求項の研究から、開示された実施形態の他のバリエーションが理解され達成されることができる。請求項で、「含む」の文言は他の要素又はステップを除外するものではなく、不定冠詞「ａ」又は「ａｎ」は複数を除外するものではない。特定の手段が、相互に異なる従属請求項に記載されているという単なる事実は、これらの手段の組合せを有利に使用できないことを意味するわけではない。請求項のいかなる参照符号も、範囲を限定するものとして解釈されるべきではない。
【図１】
0006659551.tif 000002
【図２】
0006659551.tif 000003
【図３】
0006659551.tif 000004
【図４】
0006659551.tif 000005
【図５】
0006659551.tif 000006